(57)【要約】【課題】      特定の人と特定の人との関係において、セキュリティの強化を図るとともに、人と人との結び付きを考慮して感情の元となる心を大切にしたシステムに必要な管理サーバ等を提供する。【解決手段】  画像管理送信方法を実現する動画閲覧システム１は、ユーザ３の携帯電話機５と、携帯電話機５内の動画データ７とリンクするＱＲコード９と、ＱＲコード９と動画データ７をリンクして保存する専用端末１１と、専用端末１１とアクセス可能な管理サーバ１３と、ユーザ１９の携帯電話機１５と、ＱＲコード９とは対となるＱＲコード１７とを備える。ＱＲコード１７はユーザ１９が管理サーバ１３にアクセスすることを可能とさせる。ユーザ１９はユーザ３から送られる動画データ７を閲覧できてプレゼント２０の受け取りとともに喜びなどの感情を大きく感じるとることができる。管理サーバ１３は自身の情報の漏洩を禁止する。【選択図】  図１
2010154515.tif 000002
【特許請求の範囲】
【請求項１】
管理サーバであって、
当該管理サーバに関する情報の漏洩が禁止された特定情報処理端末から画像データを受信して記憶しており、
ユーザに与えられる識別コードを用いて情報処理端末を保持する当該ユーザが前記情報処理端末によりアクセスしたことに応答して前記画像データを前記情報処理端末に送信することが可能な、又は、ユーザに与えられる識別コードを用いて情報処理端末を保持する当該ユーザが前記情報処理端末によりアクセスして前記画像データを購入する意思表示をしさらに当該ユーザが前記情報処理端末とは異なる第２の情報処理端末によりアクセスしたことに応答して前記画像データを前記第２の情報処理端末に送信することが可能な、管理サーバ。
【請求項２】
前記情報処理端末又は前記第２の情報処理端末に前記画像データを送信するためにはパスワードを要求する、請求項１記載の管理サーバ。
【請求項３】
前記識別コードとは対となる識別コードを用いて他の情報処理端末を保持する他のユーザが所望する前記他の情報処理端末に保存されている画像データとリンクさせ、当該画像データが前記特定情報処理端末に保存される、請求項１又は２記載の管理サーバ。
【請求項４】
前記ユーザが画像を閲覧した後に、前記情報処理端末から送信される電子メールを前記他の情報処理端末に受信させることを可能とした、請求項３記載の管理サーバ。
【請求項５】
前記特定情報処理端末に加え、前記情報処理端末及び前記他の情報処理端末のいずれからも、当該管理サーバに関する情報の漏洩が禁止されて、当該管理サーバに関する情報が不可視とされた、請求項３又は４記載の管理サーバ。
【請求項６】
前記特定情報処理端末に加え、前記情報処理端末及び前記第２の情報処理端末のいずれからも、当該管理サーバに関する情報の漏洩が禁止されて、当該管理サーバに関する情報が不可視とされた、請求項１又は２記載の管理サーバ。
【請求項７】
前記特定情報処理端末が、前記ユーザが画像を閲覧した後又は前記ユーザが画像を購入する意思表示をした後に、前記情報処理端末へ転送不可の添付データ付き電子メールを送信可能とすべく、前記特定情報処理端末に対して送信のためのデータを与える、請求項１から６のいずれかに記載の管理サーバ。
【請求項８】
請求項１から７のいずれかに記載の管理サーバを動作させるプログラム。
【請求項９】
識別コードが第１ユーザの意思に基づき第２ユーザに送られる場合における画像管理送信方法であって、
特定情報処理端末が、第１識別コードにより、第１情報処理端末を保持する前記第１ユーザが前記第１情報処理端末に保存されている所望の画像データとリンクさせて保存する第１ステップと、
前記管理サーバが、前記特定情報処理端末から前記画像データを受信する第２ステップと、
前記管理サーバが、前記受信した画像データを記憶する第３ステップと、
前記管理サーバが、前記第１識別コードとは対となる識別コードであって前記第２ユーザに送られた識別コードにより、前記第２ユーザが前記第２情報処理端末を用いてアクセスすることに応答して前記第２情報処理端末に前記画像データを送信する第４ステップとを含み、
前記当該管理サーバに関する情報の漏洩が禁止されていることを特徴とする、画像管理送信方法。
【発明の詳細な説明】
【技術分野】
【０００１】
本発明は、管理サーバ、プログラム及び画像管理送信方法に関し、特に例えばＱＲコードというような識別コードにより、例えば携帯電話のような情報処理端末で例えば動画のような画像をユーザが閲覧できるための管理サーバ等に関する。
【背景技術】
【０００２】
バーコードに加えて、近年、ＱＲコードが生まれ、携帯電話のカメラ機能を用いてコードを読み取り、ＵＲＬなどを認識してインターネットなどの情報通信ネットワーク上の情報にアクセスすることが可能になっている。技術水準を示すものの参考として、特許文献１を記載する。
【先行技術文献】
【特許文献】
【０００３】
【特許文献１】特開２００６−１５７８１５号公報
【発明の概要】
【発明が解決しようとする課題】
【０００４】
しかしながら、不特定多数の人々に見られることが前提の内容は例えばＱＲコードを用いてアクセス可能にしていることが通常ではあるが、このような不特定多数の人々が見る場合のセキュリティの問題は重要である。また、特定の人が他の特定の人に見てもらいたい画像を送りたいと思えば、セキュリティの問題はより極めて重要な課題と言える。
【０００５】
ゆえに、本発明は、セキュリティを強化した管理サーバ等を提供することを目的とする。また、本発明は、例えばプレゼントを贈るような特定の人と特定の人との関係において、特に見る側が特定される場合におけるセキュリティを強化した管理サーバ等を提供することを目的とする。さらに、本発明は、例えばプレゼントを贈るような特定の人と特定の人との関係において、セキュリティの強化を図るとともに、人と人との結び付きを考慮して嬉しさ・楽しさ・悲しさ・喜びなどの感情の元となる心を大切にしたシステム化の実現を図ることを目的とする。
【課題を解決するための手段】
【０００６】
請求項１に係る発明は、管理サーバであって、当該管理サーバに関する情報の漏洩が禁止された特定情報処理端末から画像データを受信して記憶しており、ユーザに与えられる識別コードを用いて情報処理端末を保持する当該ユーザが前記情報処理端末によりアクセスしたことに応答して前記画像データを前記情報処理端末に送信することが可能な、又は、ユーザに与えられる識別コードを用いて情報処理端末を保持する当該ユーザが前記情報処理端末によりアクセスして前記画像データを購入する意思表示をしさらに当該ユーザが前記情報処理端末とは異なる第２の情報処理端末によりアクセスしたことに応答して前記画像データを前記第２の情報処理端末に送信することが可能な、管理サーバである。
【０００７】
請求項２に係る発明は、請求項１において、前記情報処理端末又は前記第２の情報処理端末に前記画像データを送信するためにはパスワードを要求するものである。
【０００８】
請求項３に係る発明は、請求項１又は２において、前記識別コードとは対となる識別コードを用いて他の情報処理端末を保持する他のユーザが所望する前記他の情報処理端末に保存されている画像データとリンクさせ、当該画像データが前記特定情報処理端末に保存されるものである。
【０００９】
請求項４に係る発明は、請求項３において、前記ユーザが画像を閲覧した後に、前記情報処理端末から送信される電子メールを前記他の情報処理端末に受信させることを可能としたものである。
【００１０】
請求項５に係る発明は、請求項３又は４において、前記特定情報処理端末に加え、前記情報処理端末及び前記他の情報処理端末のいずれからも、当該管理サーバに関する情報の漏洩が禁止されて、当該管理サーバに関する情報が不可視とされたものである。
【００１１】
請求項６に係る発明は、請求項１又は２において、前記特定情報処理端末に加え、前記情報処理端末及び前記第２の情報処理端末のいずれからも、当該管理サーバに関する情報の漏洩が禁止されて、当該管理サーバに関する情報が不可視とされたものである。
【００１２】
請求項７に係る発明は、請求項１から６のいずれかにおいて、前記特定情報処理端末が、前記ユーザが画像を閲覧した後又は前記ユーザが画像を購入する意思表示をした後に、前記情報処理端末へ転送不可の添付データ付き電子メールを送信可能とすべく、前記特定情報処理端末に対して送信のためのデータを与えるものである。
【００１３】
請求項８に係る発明は、請求項１から７のいずれかに記載の管理サーバを動作させるプログラムである。
【００１４】
請求項９に係る発明は、識別コードが第１ユーザの意思に基づき第２ユーザに送られる場合における画像管理送信方法であって、特定情報処理端末が、第１識別コードにより、第１情報処理端末を保持する前記第１ユーザが前記第１情報処理端末に保存されている所望の画像データとリンクさせて保存する第１ステップと、前記管理サーバが、前記特定情報処理端末から前記画像データを受信する第２ステップと、前記管理サーバが、前記受信した画像データを記憶する第３ステップと、前記管理サーバが、前記第１識別コードとは対となる識別コードであって前記第２ユーザに送られた識別コードにより、前記第２ユーザが前記第２情報処理端末を用いてアクセスすることに応答して前記第２情報処理端末に前記画像データを送信する第４ステップとを含み、前記当該管理サーバに関する情報の漏洩が禁止されていることを特徴とするものである。
【発明の効果】
【００１５】
請求項１に係る発明によれば、管理サーバが当該管理サーバに関する情報の漏洩が禁止された特定情報処理端末から画像データを受信して記憶しており、ユーザに与えられる識別コードを用いて情報処理端末を保持する当該ユーザが前記情報処理端末によりアクセスしたことに応答して前記画像データを前記情報処理端末に送信することが可能、又は、ユーザに与えられる識別コードを用いて情報処理端末を保持する当該ユーザが前記情報処理端末によりアクセスして前記画像データを購入する意思表示をしさらに当該ユーザが前記情報処理端末とは異なる第２の情報処理端末によりアクセスしたことに応答して前記画像データを前記第２の情報処理端末に送信することが可能なので、管理サーバが当該管理サーバに関する情報の漏洩が禁止された上で、特定情報処理端末を介した画像データのみが閲覧されることになり、不適切な画像データが保存・閲覧されるリスクが減り、また画像データの改変のリスクも減らすことができる。
【００１６】
また、従来の技術では、ＱＲコードのような識別コードを用いて情報にアクセスする場合には、ＵＲＬなどの情報が示され、アドレスといったサーバに関する情報が明らかになっていた。このようなサーバに関する情報を見ることができるとすると、通常は問題とはなり難いが、悪意のある者が存在する場合もあり得、サーバを管理している立場からすれば情報の漏洩といった問題も起こり得る。しかし、本願請求項１に係る発明によれば、管理サーバに関する情報の漏洩が禁止されるので、この点も解決できる。
【００１７】
さらに、従来の技術では、管理されたサーバそのものに、閲覧が予定されている画像などのデータをダイレクトに入力して保存する形態にすると、なんらのチェックもなされず不適切な画像データも取り込まれる可能性があり、それが閲覧されてしまうことも起こり得る。さらに、悪意者によって、画像データが改変されてしまうリスクもある。しかし、本願請求項１に係る発明によれば、特定情報処理端末を介するので、この点も解決できる。
【００１８】
以上のように、セキュリティが強化された管理サーバが実現できる。
【００１９】
請求項２に係る発明によれば、閲覧のためにはパスワードが要求され、セキュリティの向上が図られている。
【００２０】
請求項３に係る発明によれば、上記識別コードとは対となる識別コードを用いて他の情報処理端末を保持する他のユーザが所望する他の情報処理端末に保存されている画像データとリンクさせ、当該画像データが特定情報処理端末に保存されるものであるから、特定のユーザのみが画像データを特定情報処理端末に保存でき、特定のユーザ同士の間のような形態で画像の閲覧が行われることになる。
【００２１】
請求項４に係る発明によれば、特定のユーザが特定のユーザに例えばプレゼントとともにカードを送る場合にそのカードに識別コードが印刷されていて、送られた画像を閲覧した後に、サンクスメールを送ることができる。
【００２２】
請求項５に係る発明によれば、特定情報処理端末に加え、情報処理端末及び他の情報処理端末のいずれからも、当該管理サーバに関する情報の漏洩が禁止されて、当該管理サーバに関する情報が不可視とされたものであるから、セキュリティの強化が十分なものとできる。
【００２３】
請求項６に係る発明によれば、特定情報処理端末に加え、情報処理端末及び第２の情報処理端末のいずれからも、当該管理サーバに関する情報の漏洩が禁止されて、当該管理サーバに関する情報が不可視とされたものであるから、セキュリティの強化が十分なものとできる。
【００２４】
請求項７に係る発明によれば、特定情報処理端末が、ユーザが画像を閲覧した後又はユーザが画像を購入する意思表示をした後に、情報処理端末へ転送不可の添付データ付き電子メールを送信可能とすべく、特定情報処理端末に対して送信のためのデータを与えるものであるから、添付データにクーポンや当選特典といったものを選択することにより、画像を閲覧することを促進して特定情報処理端末の使用頻度が向上するためのこのシステムにとっての販促を進めることができる。
【００２５】
請求項８に係る発明によれば、記録媒体への保存の有無は問わずに、プログラムの発明として請求項１から７のいずれかの管理サーバを動作させることができる。
【００２６】
請求項９に係る発明によれば、識別コードが第１ユーザの意思に基づき第２ユーザに送られる場合おいて、例えばプレゼントを贈るような特定の人と特定の人との関係において、第１〜第４ステップを行う上で、管理サーバに関する情報の漏洩が禁止されていることを特徴とするものであり、セキュリティが強化されている。さらに、特定情報処理端末を介し、管理サーバの管理のもとで、第２ユーザ側の第２情報処理端末に画像データが送信されるので、第２ユーザは、特定のユーザとして、特定のユーザである第１ユーザからの画像を閲覧できる。そして、セキュリティが強化されるだけでなく、特定のユーザ間で、人と人との結び付きを考慮して嬉しさ・楽しさ・悲しさ・喜びなどの感情の元となる心を大切にしたシステムの実現が可能となる。
【図面の簡単な説明】
【００２７】
【図１】本発明の実施の形態に係る画像管理送信方法を実現する動画閲覧システムの全体を示すブロック図である。
【図２】図１の動画閲覧システムの動作を説明するフロー図である。
【図３】図１の動画閲覧システムに追加される機能を説明する概略図である。
【図４】図３の動画閲覧システムに追加された機能の変形例を説明する概略図である。
【発明を実施するための形態】
【００２８】
図１は、本発明の実施の形態に係る画像管理送信方法を実現する動画閲覧システムの全体を示すブロック図である。図２は、図１の動画閲覧システムの動作を説明するフロー図である。
【００２９】
動画閲覧システム１は、情報処理端末の一例の携帯電話機５と、識別コードの一例のＱＲコード９と、特定情報処理端末の一例の専用端末１１と、専用端末１１との間でアクセスが可能な管理サーバ１３と、情報処理端末の一例の携帯電話機１５と、ＱＲコード９と一対となる識別コードの一例のＱＲコード１７とを、備える。管理サーバ１３は、専用端末１１から画像データの一例の動画データ７を受信する受信部１３ａと、受信した動画データ７を記憶する記憶部１３ｂと、携帯電話機１５に動画データ７を送信する送信部１３ｃとを有している。
【００３０】
携帯電話機５は、友人などの特定の人（ユーザ）１９へ動画メッセージを送りたいと考えている人（ユーザ）３が持っているものである。ＱＲコード９は、携帯電話機５に保存されているメッセージ動画となる動画データ７とリンクさせるものである。ユーザ１９は、携帯電話機１５を持っており、その携帯電話機１５は動画を閲覧できる機能を有している。
【００３１】
専用端末１１は、ショップ２１内に設置され、その店員２３が専用端末１１を操作する。店員２３は、ユーザ３についてユーザ登録（或いは携帯電話機の端末登録）を行い、携帯電話機５内の動画データ７を専用端末１１に保存して確認する（ステップＳＴ１）。その確認は、以下のようにして行われる。まず、店員２３は、専用端末１１に取り込んだ動画の動作状態を確認し、その動画データ７をＱＲコード９とリンクさせた状態で管理サーバ１３に送る。管理サーバ１３では、受信部１３が動画データ７を受信し（ステップＳＴ２）、記憶部１３ｂが動画データ７を記憶する（ステップＳＴ３）。そして、店員は、必要であれば、ユーザ３の保持する携帯電話機、ショップ２１に設置した携帯電話機、又は専用端末１１を利用して、ＱＲコード９と対となって管理サーバ１３の記憶部１３ｂの動画データ７へのアクセスが可能なＱＲコード１７を用いて、管理サーバ１３の記憶部１３ｂに記憶された動画データ７にアクセスして閲覧が可能か否かを確認する。このような確認のうえで、店員２３は、ＱＲコード９と対となって管理サーバ１３の記憶部１３ｂの動画データ７へのアクセスが可能なＱＲコード１７が印刷されたメッセージカード２５をプレゼント２０といっしょにユーザ１９に配送する。
【００３２】
なお、専用端末１１は、本サービスに必要なサービス以外は行わないように例えば市販のアプリケーションソフトなどは入れられておらず、後からも取り込みができないようにされている。また、店員２３により動画データ７が無断で改変されてしまうことがないように、動画データ７の編集作業も原則的として行われないように制限がかけられている。
【００３３】
プレゼント２０を受け取ったユーザ１９は、友人などのユーザ３から送られてきたこと自体に喜ぶ上に、ここでは、携帯電話機１５を用いてメッセージカード２５に印刷されたＱＲコード１７を読み取ることで、管理サーバ１３にアクセスできる。ここで、メッセージカードに上からシートが貼られるなどでパスワードが印字され、或いは口頭、電子メール、ＦＡＸ等を用いて、パスワードがユーザ１９に伝えられている。そのため、管理サーバ１３から要求さえるパスワードの入力を行うことにより、記憶部１３ｂの動画データ７が送信部１３ｃから携帯電話機１５に送られる（ステップＳＴ４）。このようにして、ユーザ１９は、友人などのユーザ３からのメッセージ動画を閲覧でき（ステップＳＴ５）、その喜びをさらに大きなものとして感じることができる。その結果、友人関係のように特定の人と特定の人との間のコミュニケーションを心が通じ合える形にできる。
【００３４】
なお、ユーザ１９は、動画を閲覧後に、サンクスメールを送るか否かの選択が可能であり、携帯電話機１５を用いて、携帯電話機５に、電子メールを送ることができるもととしている。これにより、上記のシステムは、より特定の人と特定の人との間のコミュニケーションを心が通じ合える形にできるものとなっている。
【００３５】
以上のような動作が管理サーバ１３を中心に行われるが、管理サーバに関する情報、例えば、ＵＲＬ情報といったアドレス情報などは管理サーバ１３から専用端末１１にも、携帯電話機７にも、携帯電話機１５にも、その漏洩が禁止されており、専用端末１１、携帯電話機７、携帯電話機１５のいずれからも、その情報を不可視としている。これにより特定の人同志、すなわち特定の方が送って特定の方が見る関係、特に特定の方が見る場合においてのデータの漏洩問題を解決する上に、予期せぬ改変なども行われず、送る側が所望する動画が特定の方によって閲覧されることになる。
【００３６】
なお、上記では、動画を閲覧する側が携帯電話で見ることを想定したが、ＱＲコード以外のバーコード等の識別コードを用い、通常のパーソナルコンピュータ（この機能を有するモバイル端末（携帯電話を含む））により、Ｗｅｂサーバを介して、管理サーバ１３にアクセスして、動画閲覧を可能としてもよい。この場合のサンクスメールを送るか否かもＷｅｂサーバを介して専用ＨＰからメール送信を行えるようにすればよい。このような場合においても、管理サーバ１３に関する情報の漏洩は禁止されており、パーソナルコンピュータ側からは不可視となっている。
【００３７】
また、上記では、画像データとして動画を想定したが、静止画であってもよい。いずれにおいても音声が付随するデータであるか否かの有無は問わない。
【００３８】
さらに、上記では、ＱＲコードは、ユーザ３側に渡されるＱＲコード９とユーザ１９に渡されるＱＲコード１７とを対とし、基本的に同じ情報内容を表すコードとしているが、必ずしも全く同一コードである必要はない。例えば、ユーザ３にとってはユーザ登録も関係しているからである。
【００３９】
さらに、上記では、ＱＲコードは、ユーザ３側に渡されるＱＲコード９とユーザ１９に渡されるＱＲコード１７とを対としているが、全く同一のものとしてユーザ１９側に送られる一つのＱＲコードのみとしてもよい。
【００４０】
さらに、上記では、ショップ２１を挙げてギフトショップのようなイメージとしたが、クリスマス・バレンタインデー・誕生日・冠婚葬祭などの行事の際など、百貨店・チョコレートショップなどの菓子店・花屋・式場との関係で利用される様々なショップであってもよく、孫から遠方に住む祖父母などに送る葉書や手紙にＱＲコードが印刷されるようなシステムでもよい。
【００４１】
さらに、上記実施の形態では、ＱＲコードとの関係から携帯電話としたが、ＰＨＳのほか、パーソナルコンピュータ化が進んでおり、ＱＲコードの読み取り等の機能があれば、他のモバイル端末であってもよい。
【００４２】
さらに、ＣＤ等のジャケットやパンフレット、或いはアーティストグッズやクリアケースなどにＱＲコードを印刷し、購入者がそのＱＲコードによりユーザ登録をしてアーティストからのサンクスメールを受け取るころができるようにし、その後、例えば、目覚まし、バースデー、クリスマスなどのイベント時に、動画を閲覧できるように管理サーバとしてもよい。
【００４３】
さらに、上記のようにユーザ登録が行われるので、関係するユーザにアンケートを実施してもよく、アンケート回答者の中から抽選等で商品等が当たるようにしてもよい。その実施の手法としては、例えば、サンクスメールの送受信の際に、各ユーザがその送信時又は受信時に付随させたメールに記載されたアンケート回答欄に回答することで行うことができる。
【００４４】
さらに、ユーザ登録の内容のほか、アンケートを回収等することで、市場調査に必要なデータを管理サーバに蓄積することにも展開できる。
【００４５】
図３は、図１の動画閲覧システムに追加される機能を説明する概略図である。図３を参照して、図１の動画閲覧システムに追加される機能を説明する。
【００４６】
動画閲覧システム５１では、サンクスメールを送る前に管理サーバ１３はユーザ１９に対して後述する電子メールがショップ２１から送られてくることの許諾を問い合わせる。そして、ユーザ１９がＯＫの場合には個人情報の登録が行われる。その個人情報には携帯電話機１５のメールアドレスが含まれる。そして、サンクスメールが送られたことに伴い、管理サーバ１３から専用端末１１には、携帯電話機１５のメールアドレスが知らされる。これにより、ショップ２１側は、サンクスメールに応答して、又は、定期的に或いは不定期に、このメールアドレスへ向けて、クーポンや当選特典等の葉書やチケット等の紙媒体に代えて、ＰＤＦ・ＧＩＦ・動画等のデータが添付された電子メールを送ることができる。この電子メールを転送することは不可としておけば、印鑑や署名といったオリジナルを保証するものとなり、ショップ２１側は、動画閲覧を促進し、このシステムを利用することを促すための販促を適切に進めることができる。ここで、この電子メールは、通常のパーソナルコンピュータとの同期が図られないようにしておくことが好ましい。これにより、ユーザ１９は、携帯電話機１５をショップ２１に持ち込み、ポイントをチャージできるので、上記したように販促を進めることがより可能となる。
【００４７】
なお、上記では、サンクスメールが送られたことに伴い管理サーバ１３から専用端末１１には携帯電話機１５のメールアドレスを知らせることにしたが、管理サーバ１３が動画閲覧時に携帯電話機１５のメールアドレスを要求して取得していれば、サンクスメールが送られるか否かとは別に、動画閲覧がなされた場合に管理サーバ１３から専用端末１１に携帯電話機１５のメールアドレスを知らせるようにしてもよい。
【００４８】
また、上記ではメール送信のためのデータとしてメールアドレスを挙げたが、ショップ２１が１回目のサンクスメール時或いは動画閲覧により既にメールアドレスを把握できている場合には２回目以降はサンクスメールが送られる毎或いは動画閲覧毎にその事実がメール送信のためのデータとして専用端末１１に送られてもよい。この場合には、サンクスメールの送信頻度或いは閲覧頻度や回数に応じて、添付データ付き電子メールが送られればよい。
【００４９】
さらに、ユーザ１９所有の記憶媒体５３に、ソフトを動作させるキーデータのようなプログラム(ドングル)、自身のマイデータ、チャージ可能なポイントなどのデータを記憶させ、ユーザ１９が記憶媒体５３をショップ２１に持ち込んでポイントをチャージできるようにすれば、より販促が進むことになり、システムの利用がより進むことになる。そして、この記憶媒体５３により、ユーザ１９は、記憶媒体５３を通常のパーソナルコンピュータに接続して、自身のポイントの状態を確認することもできる。
【００５０】
図４は図３の動画閲覧システムに追加された機能の変形例を説明する概略図である。以下、相違点を中心に説明する。
【００５１】
動画閲覧システム１０１では、ＱＲコード１１７が印刷された雑誌１２０が発行されている。この雑誌１２０はＡ社によるものとする。雑誌１２０は会員向けといった特定の人へのものでもよいが、不特定の人へのものまで含まれるものでもよい。専用端末１１１には、ＱＲコード１１７とリンクした動画１０７のデータが保存される。動画１０７としては、ライブ動画などが一例として挙げられる。専用端末１１１からは管理サーバ１１３の情報が不可視の状態で、管理サーバ１１３の受信部１１３ａに動画データが受信されて記憶部１１３ｂに記憶され、送信部１１３ｃから動画データの送信が可能になっている。
【００５２】
このように準備がなされた上で、雑誌１２０を購入したユーザ１１９は、携帯電話機１１５を用いてＱＲコード１１７により管理サーバ１１３にアクセスする。このときも携帯電話機１１５側には管理サーバ１１３の情報は不可視となっている。次に管理サーバ１１３からの「動画を購入するか？」という問いが示されるともに、後述する電子メールがＡ社１２１から送られてくることの許諾を問い合わせる。そして、ユーザ１１９が「購入する」という意思表示をし、携帯電話機１１５のメールアドレスその他の個人情報とともに例えばドングルのシリアル番号も管理サーバ１１３に与えると、課金されるとともに動画閲覧を可能にするためのキーデータが管理サーバ１１３から携帯電話機１１５に与えられる。これに応答するように、管理サーバ１１３からＡ社１２１の専用端末１１１にはメール送信のためのデータ（メールアドレス）が送られて、以降、Ａ社１２１は、携帯電話機１１５のメールアドレスへ、課金時、又は、定期的に或いは不定期に、クーポンや当選特典等の葉書やチケット等の紙媒体に代えて、ＰＤＦ・ＧＩＦ・動画等のデータが添付された電子メールを送ることができる。
【００５３】
一方、課金というタイミングで管理サーバ１１３からＡ社１２１の専用端末１１１にはメール送信のためのデータ（メールアドレス）が送られる形態にするか否かに関わらず、動画閲覧時にメール送信のためのデータ（メールアドレス）が送られる形態にしてもよく、以下、動画閲覧について説明する。
【００５４】
この動画はデータ量が多い傾向にあるため、動画閲覧を望むユーザ１１９は、自宅などにあるパーソナルコンピュータ（ＰＣ）１０５を用いる。ユーザ１１９は、このＰＣ１０５からＡ社のホームページ（ＨＰ）１０３にアクセスし、パスワードを入力してログインする。なお、Ａ社のＨＰ１０３から管理サーバ１１３の情報は不可視としている。このログインによりＰＣ１０５と管理サーバ１１３とは繋がった状況になる。このとき、ＰＣ１０５からは管理サーバ１１３の情報は不可視としている。そして、ＰＣ１０５に動画データがダウンロードされるように指示されると、管理サーバ１１３の送信部１１３ｃからＰＣ１０５にキーデータ付き及び個人情報付きで動画データが送られる。そして、ユーザ１１９は、個人情報とドングルを有した記憶媒体１５３により個人情報を一致させつつ或いはドングルを一致させつつキーを入力して一致させることで２重の一致が確認されて動画データを開いて動画を閲覧できる。この閲覧が行われると（或いはダウンロードが行われると）、管理サーバ１１３からＡ社１２１の専用端末１１１にはメール送信のためのデータ（メールアドレス）が送られて、以降、Ａ社１２１は、携帯電話機１１５のメールアドレスへ、定期的に或いは不定期に、クーポンや当選特典等の葉書やチケット等の紙媒体に代えて、ＰＤＦ・ＧＩＦ・動画等のデータが添付された電子メールを送ることができる。
【００５５】
なお、メール送信のためのデータが送られるタイミングは、課金時のみ、閲覧時のみ、課金時及び閲覧時のいずれであってもよい。
【００５６】
さらに、図４では記憶媒体１５３を示しているが、これは図３の記憶媒体５３と同様であり、その他についても、図３において説明した内容で図４に適用できるものは当てはめてよい。
【符号の説明】
【００５７】
１、５１、１０１    動画閲覧システム
５    携帯電話機
９    ＱＲコード
１１、１１１    専用端末
１３、１１３    管理サーバ
１３ａ、１１３ａ    受信部
１３ｂ、１１３ｂ    記憶部
１３ｃ、１１３ｃ    送信部
１５、１１５    携帯電話機
１７、１１７    ＱＲコード
【図１】
2010154515.tif 000003
【図２】
2010154515.tif 000004
【図３】
2010154515.tif 000005
【図４】
2010154515.tif 000006